(57)【要約】【課題】放送終了後に所望する映像を再生することができる映像再生装置一体型テレビ受像機を実現する。【解決手段】映像再生装置一体型テレビ受像機１００において、受信部１０で受信した所定の放送に関する放送信号に基づく受信映像を画像表示部４０から出力するように放映する際に、所定の放送が終了したことを示す終了信号を検出した場合に、放送信号に基づく受信映像の出力を停止するとともに、制御部５０のＲＡＭ５３に記憶されている優先順位に応じてＤＶＤなどの記録媒体に記録されている映像信号を映像再生装置２０により再生し、その映像信号に基づく再生映像を画像表示部４０から出力するように切り替えることを可能にした。【選択図】図１
2006217114.tif 000002
【特許請求の範囲】
【請求項１】
所定の放送に関する放送信号を受信する受信部と、所定の記録媒体に記録されている映像信号を再生する映像再生装置と、前記受信部が受信した前記放送信号に基づく音声データと画像データとからなる受信映像データに応じた受信映像や、前記映像再生装置が再生した前記映像信号に基づく再生映像を出力する映像出力部と、を備える映像再生装置一体型テレビ受像機において、
前記記録媒体に記録されている幾つかの映像信号に対応するように、前記映像再生装置によって再生すべき映像信号の優先順位を記憶する優先順位記憶手段と、
前記優先順位記憶手段に記憶される前記優先順位を、前記映像再生装置において再生された前記記録媒体における映像信号の頻度に基づき設定する優先順位設定手段と、
前記受信部が受信した前記放送信号に応じて、前記放送信号に同期信号が含まれていないこと、又は、前記放送信号における前記音声データが特定の周波数を有する音声信号であることと前記放送信号における前記画像データが特定の画像を表示する画像信号であること、又は、前記放送信号における前記音声データに基づく音声の変化量の割合が所定の割合範囲内であることと前記放送信号における前記画像データに基づく画像の変化量の割合が所定の割合範囲内であること、に基づき、所定の放送が終了したことを示す終了信号を検出する検出手段と、
予め設定された設定時間を計時するとともに、前記設定時間後に当該映像再生装置一体型テレビ受像機の電源をオンからオフに切り替えるオフタイマー制御手段と、
前記オフタイマー制御手段が設定された設定時間を計時する際に、前記検出手段が前記終了信号を検出したか否かを判断する判断手段と、
前記判断手段が、前記終了信号が検出されたと判断した場合に、前記映像出力部における前記放送信号に基づく受信映像の出力を停止するとともに、前記優先順位記憶手段に記憶されている前記優先順位に応じて前記記録媒体に記録されている前記映像信号を前記映像再生装置によって再生し、前記映像信号に基づく再生映像を前記映像出力部から出力するように切り替える映像切替制御手段と、
を備えることを特徴とする映像再生装置一体型テレビ受像機。
【請求項２】
所定の放送に関する放送信号を受信する受信部と、所定の記録媒体に記録されている映像信号を再生する映像再生装置と、前記受信部が受信した前記放送信号に基づく受信映像や、前記映像再生装置が再生した前記映像信号に基づく再生映像を出力する映像出力部と、を備える映像再生装置一体型テレビ受像機において、
前記記録媒体に記録されている幾つかの映像信号に対応するように、前記映像再生装置によって再生すべき映像信号の優先順位を記憶する優先順位記憶手段と、
前記受信部が受信した前記放送信号に基づき、所定の放送が終了したことを示す終了信号を検出する検出手段と、
前記検出手段が、前記終了信号を検出したか否かを判断する判断手段と、
前記判断手段が、前記終了信号が検出されたと判断した場合に、前記映像出力部における前記放送信号に基づく受信映像の出力を停止するとともに、前記優先順位記憶手段に記憶されている前記優先順位に応じて前記記録媒体に記録されている前記映像信号を前記映像再生装置によって再生し、前記映像信号に基づく再生映像を前記映像出力部から出力するように切り替える映像切替制御手段と、
を備えることを特徴とする映像再生装置一体型テレビ受像機。
【請求項３】
前記優先順位記憶手段に記憶される、前記映像再生装置によって再生すべき映像信号の優先順位を、前記映像再生装置において再生された前記記録媒体における映像信号の頻度に基づき設定する優先順位設定手段を備えることを特徴とする請求項２に記載の映像再生装置一体型テレビ受像機。
【請求項４】
予め設定された設定時間を計時するとともに、前記設定時間後に当該映像再生装置一体型テレビ受像機の電源をオンからオフに切り替えるオフタイマー制御手段を備え、前記オフタイマー制御手段が前記設定時間を計時する際に、前記判断手段は前記検出手段が前記終了信号を検出したか否かを判断することを特徴とする請求項２又は３に記載の映像再生装置一体型テレビ受像機。
【請求項５】
前記検出手段は、前記放送信号に同期信号が含まれていないことに基づき、前記終了信号を検出することを特徴とする請求項２〜４のいずれか一項に記載の映像再生装置一体型テレビ受像機。
【請求項６】
前記放送信号に基づく受信映像に関する受信映像データは音声データと画像データとからなり、
前記検出手段は、前記音声データが特定の周波数を有する音声信号であることと、前記画像データが特定の画像を表示する画像信号であることに基づき、前記終了信号を検出することを特徴とする請求項２〜４のいずれか一項に記載の映像再生装置一体型テレビ受像機。
【請求項７】
前記放送信号に基づく受信映像に関する受信映像データは音声データと画像データとからなり、
前記検出手段は、前記音声データに基づく音声の変化量の割合が所定の割合範囲内であることと、前記画像データに基づく画像の変化量の割合が所定の割合範囲内であることに基づき、前記終了信号を検出することを特徴とする請求項２〜４のいずれか一項に記載の映像再生装置一体型テレビ受像機。
【発明の詳細な説明】
【技術分野】
【０００１】
本発明は、映像再生装置一体型テレビ受像機に関する。
【背景技術】
【０００２】
従来、選局されたチャンネルの放送信号を受信して、その放送信号に応じた映像や音声を出力するテレビ受像機に、ビデオ装置などの映像再生装置が一体に設けられた映像再生装置一体型テレビ受像機がある。
【０００３】
この映像再生装置一体型テレビ受像機において、受信する放送信号を監視するとともに、選局されていたチャンネルの放送が終了するなどし、所定の放送が行われていないものと判断された場合に、ビデオテープに記録された映像を自動的に再生する機能を有する映像再生装置一体型テレビ受像機が知られている（例えば、特許文献１、特許文献２参照。）。
【特許文献１】特開２００２−２８１４１５号公報
【特許文献２】特開２００３−４６８８１号公報
【発明の開示】
【発明が解決しようとする課題】
【０００４】
しかしながら、上記特許文献１，２の場合、映像再生装置一体型テレビ受像機において自動的に再生される映像は、ビデオ装置にセットされているビデオテープにおける停止部分からの再生映像であるため、その再生映像が、使用者が所望する映像でないことがある。
【０００５】
そのため、映像再生装置一体型テレビ受像機において、放送終了後に自動的に映像が再生されるものの、使用者は所望する映像が再生されるように、早送りや巻き戻しなどの煩わしい操作を行わなければならないことがあった。
【０００６】
本発明の目的は、放送終了後に、所望する映像を再生することができる映像再生装置一体型テレビ受像機を提供することである。
【課題を解決するための手段】
【０００７】
以上の課題を解決するため、請求項１記載の発明は、所定の放送に関する放送信号を受信する受信部と、所定の記録媒体に記録されている映像信号を再生する映像再生装置と、前記受信部が受信した前記放送信号に基づく音声データと画像データとからなる受信映像データに応じた受信映像や、前記映像再生装置が再生した前記映像信号に基づく再生映像を出力する映像出力部と、を備える映像再生装置一体型テレビ受像機において、前記記録媒体に記録されている幾つかの映像信号に対応するように、前記映像再生装置によって再生すべき映像信号の優先順位を記憶する優先順位記憶手段と、前記優先順位記憶手段に記憶される前記優先順位を、前記映像再生装置において再生された前記記録媒体における映像信号の頻度に基づき設定する優先順位設定手段と、前記受信部が受信した前記放送信号に応じて、前記放送信号に同期信号が含まれていないこと、又は、前記放送信号における前記音声データが特定の周波数を有する音声信号であることと前記放送信号における前記画像データが特定の画像を表示する画像信号であること、又は、前記放送信号における前記音声データに基づく音声の変化量の割合が所定の割合範囲内であることと前記放送信号における前記画像データに基づく画像の変化量の割合が所定の割合範囲内であること、に基づき、所定の放送が終了したことを示す終了信号を検出する検出手段と、予め設定された設定時間を計時するとともに、前記設定時間後に当該映像再生装置一体型テレビ受像機の電源をオンからオフに切り替えるオフタイマー制御手段と、前記オフタイマー制御手段が設定された設定時間を計時する際に、前記検出手段が前記終了信号を検出したか否かを
判断する判断手段と、前記判断手段が、前記終了信号が検出されたと判断した場合に、前記映像出力部における前記放送信号に基づく受信映像の出力を停止するとともに、前記優先順位記憶手段に記憶されている前記優先順位に応じて前記記録媒体に記録されている前記映像信号を前記映像再生装置によって再生し、前記映像信号に基づく再生映像を前記映像出力部から出力するように切り替える映像切替制御手段と、を備えることを特徴とする。
【０００８】
請求項２記載の発明は、所定の放送に関する放送信号を受信する受信部と、所定の記録媒体に記録されている映像信号を再生する映像再生装置と、前記受信部が受信した前記放送信号に基づく受信映像や、前記映像再生装置が再生した前記映像信号に基づく再生映像を出力する映像出力部と、を備える映像再生装置一体型テレビ受像機において、前記記録媒体に記録されている幾つかの映像信号に対応するように、前記映像再生装置によって再生すべき映像信号の優先順位を記憶する優先順位記憶手段と、前記受信部が受信した前記放送信号に基づき、所定の放送が終了したことを示す終了信号を検出する検出手段と、前記検出手段が、前記終了信号を検出したか否かを判断する判断手段と、前記判断手段が、前記終了信号が検出されたと判断した場合に、前記映像出力部における前記放送信号に基づく受信映像の出力を停止するとともに、前記優先順位記憶手段に記憶されている前記優先順位に応じて前記記録媒体に記録されている前記映像信号を前記映像再生装置によって再生し、前記映像信号に基づく再生映像を前記映像出力部から出力するように切り替える映像切替制御手段と、を備えることを特徴とする。
【０００９】
請求項３記載の発明は、請求項２に記載の映像再生装置一体型テレビ受像機において、前記優先順位記憶手段に記憶される、前記映像再生装置によって再生すべき映像信号の優先順位を、前記映像再生装置において再生された前記記録媒体における映像信号の頻度に基づき設定する優先順位設定手段を備えることを特徴とする。
【００１０】
請求項４記載の発明は、請求項２又は３に記載の映像再生装置一体型テレビ受像機において、予め設定された設定時間を計時するとともに、前記設定時間後に当該映像再生装置一体型テレビ受像機の電源をオンからオフに切り替えるオフタイマー制御手段を備え、前記オフタイマー制御手段が前記設定時間を計時する際に、前記判断手段は前記検出手段が前記終了信号を検出したか否かを判断することを特徴とする。
【００１１】
請求項５記載の発明は、請求項２〜４のいずれか一項に記載の映像再生装置一体型テレビ受像機において、前記検出手段は、前記放送信号に同期信号が含まれていないことに基づき、前記終了信号を検出することを特徴とする。
【００１２】
請求項６記載の発明は、請求項２〜４のいずれか一項に記載の映像再生装置一体型テレビ受像機において、前記放送信号に基づく受信映像に関する受信映像データは音声データと画像データとからなり、前記検出手段は、前記音声データが特定の周波数を有する音声信号であることと、前記画像データが特定の画像を表示する画像信号であることに基づき、前記終了信号を検出することを特徴とする。
【００１３】
請求項７記載の発明は、請求項２〜４のいずれか一項に記載の映像再生装置一体型テレビ受像機において、前記放送信号に基づく受信映像に関する受信映像データは音声データと画像データとからなり、前記検出手段は、前記音声データに基づく音声の変化量の割合が所定の割合範囲内であることと、前記画像データに基づく画像の変化量の割合が所定の割合範囲内であることに基づき、前記終了信号を検出することを特徴とする。
【発明の効果】
【００１４】
請求項１記載の発明によれば、映像再生装置一体型テレビ受像機において、受信部で受
信した所定の放送に関する放送信号に基づく受信映像を映像出力部から出力するように放映する際に、所定の放送が終了したことを示す終了信号を検出した場合に、放送信号に基づく受信映像の出力を停止するとともに、優先順位記憶手段に記憶されている優先順位に応じて記録媒体に記録されている映像信号を映像再生装置により再生し、その映像信号に基づく再生映像を映像出力部から出力するように切り替えることができる。
【００１５】
つまり、映像再生装置一体型テレビ受像機は、所定の放送が終了した際に、使用者が視聴しようと所望する優先順位が高い映像信号であり、使用者の嗜好に合うような映像信号に関する再生映像が放映され、使用者はその再生映像を視聴することができるので、従来の装置のように、自動的に映像信号が再生されるものの、使用者が所望する映像を再生するために、早送りや巻き戻しなどの煩わしい操作を行うことに比べ、使用者が所望する映像の再生を好適に行うことができる。
【００１６】
特に、優先順位記憶手段に記憶される、映像再生装置によって再生すべき映像信号の優先順位は、映像再生装置において再生された記録媒体における映像信号の頻度に基づき設定されるようになっている。つまり、映像再生装置一体型テレビ受像機は、映像再生装置において、より高頻度に再生されたことに伴い、より高い優先順位が設定された映像信号であり、使用者の嗜好に合うような映像信号に関する再生映像が放映されるので、使用者はその嗜好に合った再生映像を視聴することができる。
【００１７】
また、映像再生装置一体型テレビ受像機は、予め設定された設定時間を計時するとともに、その設定時間後に映像再生装置一体型テレビ受像機の電源をオンからオフに切り替える、おやすみタイマーなどのオフタイマー制御手段を備えており、その設定時間が計時されるようにタイマーがセットされた状態において、所定の放送が終了したことを示す終了信号が検出されたか否か判断されるようになっている。
【００１８】
よって、使用者が、おやすみタイマーなどのオフタイマー制御手段によって電源オフタイムとしての設定時間を設定し、あと何時間、何時までのように、所定の放送に関する放送信号に基づく受信映像の放映を視聴しようとした際に、その設定時間前にその放送が終了してしまった場合に、自動的に使用者が所望する映像に関する映像信号が再生されるので、使用者は設定した時間まで所望する映像を視聴することができるようになる。
【００１９】
また、映像再生装置一体型テレビ受像機は、受信部が受信した放送信号に応じて所定の放送が終了したことを示す終了信号を検出する基準として、放送信号に同期信号が含まれていないことや、放送信号における音声データが特定の周波数を有する音声信号であることと放送信号における画像データが特定の画像を表示する画像信号であることや、放送信号における音声データに基づく音声の変化量の割合が所定の割合範囲内であることと放送信号における画像データに基づく画像の変化量の割合が所定の割合範囲内であること、を判断基準としている。
【００２０】
ここで、放送信号に同期信号が含まれていないという状態は、放送電波が停波状態となっていることを示し、所定の放送が終了し「砂嵐画面」となる状態に対応しているので、映像再生装置一体型テレビ受像機において、所定の放送が終了し「砂嵐画面」となる際に、放送信号に基づく受信映像の出力を停止し、記録媒体に記録されている映像信号を映像再生装置により再生し、その映像信号に基づく再生映像を出力するように切り替えることができる。よって、映像再生装置一体型テレビ受像機において放送終了後の不要な映像である「砂嵐画面」を放映しないように、記録媒体に記録されている映像信号に基づく再生映像を再生することができる。
【００２１】
また、放送信号における音声データが特定の周波数を有する音声信号であり、放送信号における画像データが特定の画像を表示する画像信号である状態は、放送電波が電波試験用の放送電波であることを示し、所定の放送の終了後に「カラーバー画面」や「モノスコ画面」となる状態に対応しているので、映像再生装置一体型テレビ受像機において、所定の放送が終了し「カラーバー画面」や「モノスコ画面」となる際に、放送信号に基づく受
信映像の出力を停止し、記録媒体に記録されている映像信号を映像再生装置により再生し、その映像信号に基づく再生映像を出力するように切り替えることができる。よって、映像再生装置一体型テレビ受像機において放送終了後の不要な映像である「カラーバー画面」や「モノスコ画面」を放映しないように、記録媒体に記録されている映像信号に基づく再生映像を再生することができる。
【００２２】
また、放送信号における音声データに基づく音声の変化量の割合が所定の割合範囲内であり、放送信号における画像データに基づく画像の変化量の割合が所定の割合範囲内である状態は、音声や画像の変化がほとんどない状態であり、例えば、静かな音声が出力されるか無音状態において放送局周辺の光景の画像が表示される状態に対応しているので、映像再生装置一体型テレビ受像機において、所定の放送が終了し「放送局周辺の光景の画像」となる際に、放送信号に基づく受信映像の出力を停止し、記録媒体に記録されている映像信号を映像再生装置により再生し、その映像信号に基づく再生映像を出力するように切り替えることができる。よって、映像再生装置一体型テレビ受像機において放送終了後の不要な映像である「放送局周辺の光景の画像」を放映しないように、記録媒体に記録されている映像信号に基づく再生映像を再生することができる。
【００２３】
請求項２記載の発明によれば、映像再生装置一体型テレビ受像機において、受信部で受信した所定の放送に関する放送信号に基づく受信映像を映像出力部から出力するように放映する際に、所定の放送が終了したことを示す終了信号を検出した場合に、放送信号に基づく受信映像の出力を停止するとともに、優先順位記憶手段に記憶されている優先順位に応じて記録媒体に記録されている映像信号を映像再生装置により再生し、その映像信号に基づく再生映像を映像出力部から出力するように切り替えることができる。
【００２４】
つまり、映像再生装置一体型テレビ受像機は、所定の放送が終了した際に、使用者が視聴しようと所望する優先順位が高い映像信号であり、使用者の嗜好に合うような映像信号に関する再生映像が放映され、使用者はその再生映像を視聴することができるので、従来の装置のように、自動的に映像信号が再生されるものの、使用者が所望する映像を再生するために、早送りや巻き戻しなどの煩わしい操作を行うことに比べ、使用者が所望する映像の再生を好適に行うことができる。
【００２５】
請求項３記載の発明によれば、請求項２に記載の発明と同様の効果が得られることは無論のこと、優先順位記憶手段に記憶される、映像再生装置によって再生すべき映像信号の優先順位は、映像再生装置において再生された記録媒体における映像信号の頻度に基づき設定されるようになっている。
【００２６】
つまり、映像再生装置一体型テレビ受像機は、映像再生装置において、より高頻度に再生されたことに伴い、より高い優先順位が設定された映像信号であり、使用者の嗜好に合うような映像信号に関する再生映像が放映されるので、使用者はその嗜好に合った再生映像を視聴することができる。
【００２７】
特に、映像再生装置一体型テレビ受像機の映像再生装置において、記録媒体を通常の再生操作により再生し、記録媒体における映像信号に応じた再生映像を視聴した記録に基づき、優先順位が設定されるので、使用者がその優先順位の設定を行う必要がないので、煩わしい操作が不要である。
【００２８】
請求項４記載の発明によれば、請求項２又は３に記載の発明と同様の効果が得られることは無論のこと、映像再生装置一体型テレビ受像機は、予め設定された設定時間を計時するとともに、その設定時間後に映像再生装置一体型テレビ受像機の電源をオンからオフに切り替える、おやすみタイマーなどのオフタイマー制御手段を備えており、その設定時間が計時されるようにタイマーがセットされた状態において、所定の放送が終了したことを示す終了信号が検出されたか否か判断されるようになっている。
【００２９】
つまり、使用者が、おやすみタイマーなどのオフタイマー制御手段によって電源オフタイムとしての設定時間を設定し、あと何時間、何時までのように、所定の放送に関する放
送信号に基づく受信映像の放映を視聴しようとした際に、その設定時間前にその放送が終了してしまった場合に、自動的に使用者が所望する映像に関する映像信号が再生されるので、使用者は設定した時間まで所望する映像を視聴することができるようになる。
【００３０】
請求項５記載の発明によれば、請求項２〜４のいずれか一項に記載の発明と同様の効果が得られることは無論のこと、検出手段は、放送信号に同期信号が含まれていないことに基づき、終了信号を検出することができる。
【００３１】
ここで、放送信号に同期信号が含まれていないという状態は、放送電波が停波状態となっていることを示し、所定の放送が終了し「砂嵐画面」となる状態に対応しているので、映像再生装置一体型テレビ受像機において、所定の放送が終了し「砂嵐画面」となる際に、放送信号に基づく受信映像の出力を停止し、記録媒体に記録されている映像信号を映像再生装置により再生し、その映像信号に基づく再生映像を出力するように切り替えることができる。
【００３２】
よって、映像再生装置一体型テレビ受像機において放送終了後の不要な映像である「砂嵐画面」を放映しないように、記録媒体に記録されている映像信号に基づく再生映像を再生することができる。
【００３３】
請求項６記載の発明によれば、請求項２〜４のいずれか一項に記載の発明と同様の効果が得られることは無論のこと、検出手段は、音声データが特定の周波数を有する音声信号であることと、画像データが特定の画像を表示する画像信号であることに基づき、終了信号を検出することができる。
【００３４】
ここで、放送信号における音声データが特定の周波数を有する音声信号であり、放送信号における画像データが特定の画像を表示する画像信号である状態は、放送電波が電波試験用の放送電波であることを示し、所定の放送の終了後に「カラーバー画面」や「モノスコ画面」となる状態に対応しているので、映像再生装置一体型テレビ受像機において、所定の放送が終了し「カラーバー画面」や「モノスコ画面」となる際に、放送信号に基づく受信映像の出力を停止し、記録媒体に記録されている映像信号を映像再生装置により再生し、その映像信号に基づく再生映像を出力するように切り替えることができる。
【００３５】
よって、映像再生装置一体型テレビ受像機において放送終了後の不要な映像である「カラーバー画面」や「モノスコ画面」を放映しないように、記録媒体に記録されている映像信号に基づく再生映像を再生することができる。
【００３６】
請求項７記載の発明によれば、請求項２〜４のいずれか一項に記載の発明と同様の効果が得られることは無論のこと、検出手段は、音声データに基づく音声の変化量の割合が所定の割合範囲内であることと、画像データに基づく画像の変化量の割合が所定の割合範囲内であることに基づき、終了信号を検出することができる。
【００３７】
ここで、放送信号における音声データに基づく音声の変化量の割合が所定の割合範囲内であり、放送信号における画像データに基づく画像の変化量の割合が所定の割合範囲内である状態は、音声や画像の変化がほとんどない状態であり、例えば、静かな音声が出力されるか無音状態において放送局周辺の光景の画像が表示される状態に対応しているので、映像再生装置一体型テレビ受像機において、所定の放送が終了し「放送局周辺の光景の画像」となる際に、放送信号に基づく受信映像の出力を停止し、記録媒体に記録されている映像信号を映像再生装置により再生し、その映像信号に基づく再生映像を出力するように切り替えることができる。
【００３８】
よって、映像再生装置一体型テレビ受像機において放送終了後の不要な映像である「放送局周辺の光景の画像」を放映しないように、記録媒体に記録されている映像信号に基づく再生映像を再生することができる。
【発明を実施するための最良の形態】
【００３９】
以下、図面を参照して本発明に係る映像再生装置一体型テレビ受像機の実施の形態につ
いて詳細に説明する。
【００４０】
図１は、本発明に係る映像再生装置一体型テレビ受像機の要部構成を示すブロック図である。
【００４１】
図１に示すように、映像再生装置一体型テレビ受像機１００（以下、テレビ受像機１００）は、放送信号を受信する受信部１０と、記録媒体に記録されている映像信号を再生する映像再生装置２０と、放送信号に基づく受信映像データに応じた音声や、映像信号に基づく再生映像データに応じた音声を出力する音声出力部３０と、放送信号に基づく受信映像データに応じた受信映像や、映像信号に基づく再生映像データに応じた再生映像を表示する映像出力部としての画像表示部４０と、上記各部の動作を制御する制御部５０等を備えている。
【００４２】
受信部１０は、例えば、アンテナ機器であり、選局されたチャンネルなどに応じた所定の放送信号を受信するとともに、受信した放送信号を制御部５０に送出する。
【００４３】
映像再生装置２０は、例えば、ＤＶＤ（Digital Versatile Disk）機器や、ＨＤＤ（Hard Disk Drive）機器により構成されており、所定の記録媒体であるＤＶＤやＨＤに記録
されている映像信号を再生し、その映像信号をデジタルデータである音声データと画像データとからなる再生映像データに変換するとともに、その映像信号に基づく再生映像データの音声データや画像データを、制御部５０を介して音声出力部３０や画像表示部４０に出力する。
【００４４】
音声出力部３０は、例えば、スピーカ機器であり、受信部１０が受信した放送信号に基づく受信映像データの音声データに応じた音声や、映像再生装置２０が再生した映像信号に基づく再生映像データの音声データに応じた音声を出力する。
【００４５】
画像表示部４０は、例えば、液晶表示機器であり、受信部１０が受信した放送信号に基づく受信映像データの画像データに応じた受信映像や、映像再生装置２０が再生した映像信号に基づく再生映像データの画像データに応じた再生映像を表示する。
【００４６】
制御部５０は、例えば、ＣＰＵ５１を備えており、図示しない入力部等から入力される操作入力信号や、予め設定されている設定データ等に応じて、ＲＯＭ５２などに格納されている映像再生装置一体型テレビ受像機用の各種制御プログラムに従って各部の動作を集中制御し、その処理結果をＲＡＭ５３内のワークエリアに格納する。
【００４７】
特に、制御部５０のＲＡＭ５３は、ＤＶＤやＨＤなどの記録媒体に記録されている幾つかの映像信号に対応するように、映像再生装置２０によって再生すべき映像信号の優先順位を記憶する優先順位記憶手段として機能する。
【００４８】
そして、制御部５０は、テレビ受像機１００を構成する各部の動作を制御する。
【００４９】
そして、制御部５０は、受信部１０が受信した放送信号をデジタルデータである音声データと画像データとからなる受信映像データに変換するとともに、その放送信号に基づく受信映像データの音声データや画像データを音声出力部３０や画像表示部４０に出力する受信映像出力制御手段として機能する。
【００５０】
また、制御部５０は、受信部１０が受信した放送信号に基づき、所定の放送が終了したことを示す終了信号を検出する検出手段として機能する。
【００５１】
特に、検出手段としての制御部５０は、放送信号に同期信号が含まれていないことに基づき、終了信号を検出する。
【００５２】
ここで、放送信号に同期信号が含まれていないという状態は、放送電波が停波状態とな
っていることを示し、所定の放送が終了し「砂嵐画面」となる状態に対応している。
【００５３】
また、検出手段としての制御部５０は、音声データが特定の周波数を有する音声信号であることと、画像データが特定の画像を表示する画像信号であることに基づき、終了信号を検出する。
【００５４】
ここで、放送信号における音声データが特定の周波数を有する音声信号であり、放送信号における画像データが特定の画像を表示する画像信号である状態は、放送電波が電波試験用の放送電波であることを示し、所定の放送の終了後に「カラーバー画面」や「モノスコ画面」となる状態に対応している。
【００５５】
また、検出手段としての制御部５０は、音声データに基づく音声の変化量の割合が所定の割合範囲内であることと、画像データに基づく画像の変化量の割合が所定の割合範囲内であることに基づき、終了信号を検出する。
【００５６】
ここで、放送信号における音声データに基づく音声の変化量の割合が所定の割合範囲内であり、放送信号における画像データに基づく画像の変化量の割合が所定の割合範囲内である状態は、放送電波が停波状態ではなく、また、放送電波が電波試験用の放送電波ではないが、音声や画像の変化がほとんどない状態であり、ＢＧＭ（背景音楽）が静かに流れるか無音状態において、放送局周辺の光景や定点カメラからの光景の画像が表示される状態に対応している。そして、放送局周辺などを車両や人物が通行するなどすれば、それらの動きが画像の変化量となる。
【００５７】
つまり、ＢＧＭの音声は通常放送の際の音声に比べてその音声の変化量の割合は少なく、また、放送局周辺などの光景の画像は通常放送の際の画像に比べてその画像の変化量の割合は少ないので、予め定められている音声の変化量の基準値に対して、例えば、その放送信号に基づく音声の変化量の割合が閾値である５０％以下であり、その放送信号に基づく画像の変化量の割合が閾値である５０％以下である場合に、終了信号として検出されるようになっている。
【００５８】
なお、通常放送の際の音声や画像の変化量について予め測定や検出が行われて、基準値となる変化量１００％の値が設定されるようになっている。
【００５９】
具体的には、検出手段としての制御部５０は、所定のタイミングで取得した放送信号に関する画像データを制御部５０のＲＡＭ５３に記憶するとともに、所定の時間後（例えば、１分後や、５分後）に新たな放送信号に関する画像データを取得する。そして、先に取得した画像データと後から取得した画像データとを比較して、その画像の変化量が閾値としての５０％以下である場合には、その放送信号を終了信号として検出する。一方、その画像の変化量が閾値としての５０％を越える場合には、まだ所定の放送に関する放送信号を受信しているものとし、後から取得した画像データを制御部５０のＲＡＭ５３に記憶し、所定の時間後に新たな放送信号の画像データを取得して、ＲＡＭ５３に記憶されている画像データと新たに取得した画像データとを比較することを繰り返す。音声データの変化量についても同様である。
【００６０】
なお、「カラーバー画面」や「モノスコ画面」に関する画像データは、どのタイミングの画像データであっても同じものであるので、先に取得した画像データと後から取得した画像データとを比較した際の変化量はほぼ０％となり、閾値である５０％以下である。
【００６１】
なお、検出手段としての制御部５０が、放送電波が停波状態となっていることや、放送電波が電波試験用の放送電波であることや、放送電波に基づく音声や画像がＢＧＭと放送局周辺などの光景の画像であることを検出する方法は、既知の技術であるので、ここでは詳述しない。
【００６２】
また、制御部５０は、検出手段としての制御部５０が、終了信号を検出したか否かを判断する判断手段として機能する。
【００６３】
また、制御部５０は、予め設定された設定時間を計時するとともに、その設定時間後にテレビ受像機１００の電源をオンからオフに切り替えるオフタイマー制御手段として機能する。
【００６４】
なお、設定時間は、図示しない入力部等から入力され、ＲＡＭ５３等に記憶され設定されるようになっており、任意の時間を設定することができる。また、設定時間は、電源がオンからオフに切り替えられる時刻（例えば、ＡＭ２時）を設定してもよく、電源がオンからオフに切り替えられるまでの所定の時間（例えば、１時間３０分）を設定してもよい。
【００６５】
特に、判断手段としての制御部５０は、オフタイマー制御手段としての制御部５０が、設定された設定時間を計時する際に、検出手段としての制御部５０が終了信号を検出したか否かを判断するようになっている。
【００６６】
また、制御部５０は、判断手段としての制御部５０が、終了信号が検出されたと判断した場合に、画像表示部４０における放送信号に基づく受信映像の出力や、音声出力部３０における放送信号に基づく音声の出力を停止するとともに、優先順位記憶手段としてのＲＡＭ５３に記憶されている優先順位に応じて、ＤＶＤやＨＤに記録されている映像信号を映像再生装置２０によって再生し、その映像信号に基づく再生映像を画像表示部４０から出力するように切り替える映像切替制御手段として機能する。なお、この際、その映像信号に基づく再生映像データの音声データは音声出力部３０から出力される。
【００６７】
また、制御部５０は、優先順位記憶手段としてのＲＡＭ５３に記憶される優先順位を、映像再生装置２０において再生されたＤＶＤやＨＤなどの記録媒体における映像信号の頻度に基づき設定する優先順位設定手段として機能する。
【００６８】
具体的には、優先順位設定手段としての制御部５０は、所定の記録媒体に記録されている幾つかの映像信号における、テレビ受像機１００の映像再生装置２０において再生された映像信号に対応付けられているタイトルやチャプタやトラックナンバーなどを、ＲＡＭ５３などの記憶手段に累積するように記憶しておき、より多くの回数、より高頻度に再生された映像信号ほど優先順位が高くなるように、その映像信号の優先順位を設定するようになっている。
【００６９】
つまり、テレビ受像機１００の映像再生装置２０において、より多くの回数、より高頻度に再生された映像信号ほど、使用者の嗜好にあったものであるので、映像切替制御手段としての制御部５０が所定の放送終了後に、ＤＶＤやＨＤに記録されている優先順位の高い映像信号を映像再生装置２０によって再生し、その映像信号に基づく再生映像を画像表示部４０から出力することによって、使用者が所望する映像の再生を行うことができるようになっている。
【００７０】
次に、テレビ受像機１００において、放送信号に基づいて、受信映像の出力から再生映像の出力へ切り替える、映像の切り替え処理の一例について、図２に示すフローチャートに基づき説明する。
【００７１】
まず、テレビ受像機１００において、図示しないメインスイッチが押下されたことにより、テレビ受像機１００は受信部１０を介して、選択されたチャンネルなどに応じた所定の放送に関する放送信号を受信する（ステップＳ１０１）。
【００７２】
そして、制御部５０は、受信した放送信号をデジタルデータである音声データと画像データからなる受信映像データに変換するとともに、音声データに基づく音声と画像データに基づく映像や画像を、それぞれ音声出力部３０と画像表示部４０から出力するように、その放送信号に基づく受信映像データに応じたテレビ放映が行われる（ステップＳ１０２）。
【００７３】
次いで、制御部５０は、テレビ受像機１００においてオフタイマーがセットされたか否か判断する（ステップＳ１０３）。
【００７４】
制御部５０が、オフタイマーはセットされていないと判断すると（ステップＳ１０３；Ｎｏ）、ステップＳ１０１に戻り、放送信号に基づくテレビ放映を継続する。
【００７５】
一方、制御部５０が、オフタイマーがセットされたと判断すると（ステップＳ１０３；Ｙｅｓ）、制御部５０は時刻や時間を計時するとともに、設定されたオフタイマーの設定時刻になったか否か判断する（ステップＳ１０４）。
【００７６】
制御部５０が、設定されたオフタイマーの設定時刻になったと判断すると（ステップＳ１０４；Ｙｅｓ）、ステップＳ１１０へ進む。
【００７７】
一方、制御部５０が、設定されたオフタイマーの設定時刻になっていないと判断すると（ステップＳ１０４；Ｎｏ）、制御部５０は、放送信号に基づいて所定の放送が終了したことを示す終了信号を監視する。
【００７８】
そして、制御部５０が、放送信号に同期信号が含まれていないことに基づき、終了信号を検出したと判断すると（ステップＳ１０５；Ｎｏ）、ステップＳ１０８へ進む。
【００７９】
一方、制御部５０が、放送信号に同期信号が含まれていると判断すると（ステップＳ１０５；Ｙｅｓ）、ステップＳ１０６へ進む。
【００８０】
ステップＳ１０６において、制御部５０が、放送信号における画像データが特定の画像を表示する画像信号であり、画像データに変化がないことによって終了信号を検出したと判断すると（ステップＳ１０６；Ｙｅｓ）、ステップＳ１０８へ進む。
【００８１】
一方、制御部５０が、放送信号における画像データに変化があると判断すると（ステップＳ１０６；Ｎｏ）、ステップＳ１０７へ進む。
【００８２】
ステップＳ１０７において、制御部５０が、放送信号における画像データの変化量の割合が、所定の閾値より小さく所定の割合範囲内であることによって終了信号を検出したと判断すると（ステップＳ１０７；Ｙｅｓ）、ステップＳ１０８へ進む。
【００８３】
一方、制御部５０が、放送信号における画像データの変化量の割合が、閾値である所定の割合範囲内でないと判断すると（ステップＳ１０７；Ｎｏ）、ステップＳ１０４に戻り、放送信号に基づくテレビ放映を行うとともに、オフタイマー設定時刻や終了信号の検出に関する監視を継続する。
【００８４】
ステップＳ１０８において、制御部５０は、放送信号に基づく受信映像データの音声データに応じた音声と、受信映像データの画像データに応じた受信映像の出力を停止するとともに、制御部５０のＲＡＭ５３に記憶されている優先順位に応じて、所定の記録媒体に記録されている映像信号のうち優先順位の高い映像信号を映像再生装置２０によって再生し、その再生した映像信号に基づく映像データに応じた再生映像を画像表示部４０から出力し、映像信号データに応じた音声を音声出力部３０から出力するように切り替えるようにして、その記録媒体に記録されている映像信号の再生を行う（ステップＳ１０８）。
【００８５】
次いで、制御部５０は、時刻や時間を計時しつつ、設定されたオフタイマーの設定時刻になったか否か判断する（ステップＳ１０９）。
【００８６】
そして、制御部５０が、設定されたオフタイマーの設定時刻になったと判断すると（ステップＳ１０９；Ｙｅｓ）、ステップＳ１１０へ進む。
【００８７】
一方、制御部５０が、設定されたオフタイマーの設定時刻になっていないと判断すると（ステップＳ１０９；Ｎｏ）、ステップＳ１０８に戻り、映像信号の再生を継続する。
【００８８】
ステップＳ１１０において、制御部５０は、設定されたオフタイマーの設定時刻になったとの判断に伴い、テレビ受像機１００の電源をオンからオフに切り替え、テレビ受像機
１００を停止させ（ステップＳ１１０）、テレビ受像機１００の動作処理を終了する。
【００８９】
このように、本発明に係るテレビ受像機１００によれば、所定の放送に関する放送信号を受信し、その放送信号に応じた受信映像などのテレビ放映を行っている際に、所定の放送が終了したことを示す終了信号を検出した場合に、放送信号に応じた受信映像の放映を停止するとともに、ＤＶＤやＨＤに記録されている映像信号を映像再生装置２０により再生を行い、その映像信号に応じた再生映像の出力表示を行うことができる。
【００９０】
特に、本発明に係るテレビ受像機１００は、テレビ受像機１００の映像再生装置２０において、より高頻度に再生されたことに伴い、より高い優先順位が付与されて設定された映像信号であり、使用者の嗜好に合うような映像信号に関する再生映像が放映され、使用者はその再生映像を視聴することができるので、従来の装置のように、自動的に映像信号が再生されるものの、使用者が所望する映像を再生するために、早送りや巻き戻しなどの煩わしい操作を行うことに比べ、使用者が所望する映像の再生、出力を好適に行うことができる。
【００９１】
また、このテレビ受像機１００においては、例えば、おやすみタイマーなどのように、所定時間後にテレビ受像機１００の電源をオンからオフに切り替えるように設定されたことに伴い、その設定時間が計時される際に、放送信号に基づく終了信号の検出の有無を判断するようになっている。そして、終了信号が検出されたと判断された場合に、自動的に使用者が所望する映像に関する映像信号が再生されるようになっている。
【００９２】
つまり、使用者が、おやすみタイマーやオフタイマーの設定時間を設定し、あと何時間、何時まで、所定の放送に関する放送信号に基づく受信映像の放映を視聴しようとした際に、その設定時間前にその放送が終了してしまった場合に、自動的に使用者が所望する映像に関する映像信号が再生されるので、使用者は設定した時間まで所望する映像を視聴することができるようになる。
【００９３】
そして、おやすみタイマーやオフタイマーなどにより、設定時間後にテレビ受像機１００の電源をオンからオフに切り替えるようになっているので、テレビ受像機１００の電源がオン状態のまま、テレビ受像機１００が付けっぱなしになるようなことは防止することができる。
【００９４】
なお、以上の実施の形態においては、映像再生装置２０として、ＤＶＤやＨＤＤの例について説明したが、本発明はこれに限定されるものではなく、映像再生装置としてＶＣＲ（Video Cassette Recorder）を用いるようにしてもよい。
【００９５】
映像再生装置としてＶＣＲを用いる場合、優先順位に応じた映像信号部分をカウンタなどに応じて記憶しておき、その映像信号部分まで自動的に早送りや巻き戻しするようにして、所定の映像信号の再生を行うようにすればよい。
【００９６】
また、音声や画像の変化量の閾値は５０％であることに限らず、映像として映す対象物や、終了信号の検出感度等に応じて、任意に設定するようにすればよい。
【００９７】
また、テレビ受像機１００の映像再生装置２０において、より高頻度に再生されたことに伴い、より高い優先順位が付与されて設定された映像信号を、放送信号に基づく終了信号を検出した際に再生するとしたが、本発明はこれに限定されるものではなく、逆に、あまり再生されたことがなく、低頻度に再生されたことに伴い低い優先順位が付与されて設定された映像信号を、放送信号に基づく終了信号を検出した際に再生することにより、普段と違った趣向の映像を使用者が楽しむようにしてもよい。
【００９８】
また、その他、具体的な細部構造等についても適宜に変更可能であることは勿論である。
【図面の簡単な説明】
【００９９】
【図１】本発明に係る映像再生装置一体型テレビ受像機の要部構成を示すブロック図である。
【図２】本発明に係る映像再生装置一体型テレビ受像機の録画処理の一例を示すフローチャートである。
【符号の説明】
【０１００】
１０    受信部
２０    映像再生装置
３０    音声出力部
４０    画像表示部（映像出力部）
５０    制御部（検出手段、判断手段、映像切替制御手段、優先順位記憶手段、優先順位設定手段、オフタイマー制御手段）
５１    ＣＰＵ
５２    ＲＯＭ
５３    ＲＡＭ（優先順位記憶手段）
１００  テレビ受像機（映像再生装置一体型テレビ受像機）
【図１】
2006217114.tif 000003
【図２】
2006217114.tif 000004